(57)【要約】【課題】取付け対象部位の正面が他の部材や機器によって一部塞がれているような場合であっても、取付け対象部位への取付け・取外しを容易かつ適切に行なうことが可能なヒータ取付け具を提供する。【解決手段】ヒータＨを保持するホルダ部１と、このホルダ部１に連設され、かつ取付け対象部位７０へのクランプ装着が可能なクランプ装着部２と、を備えており、クランプ装着部２は、取付け対象部位７０へのクランプ装着時に取付け対象部位７０に係合する係合部２１ａを有するクランプ片部２１を備えている、ヒータ取付け具Ａであって、クランプ片部２１に繋がって設けられ、かつ所定の操作が行なわれたときに、取付け対象部位７０と係合部２１ａとの係合状態が解除されるようにクランプ片部２１を変形または変位させることが可能な操作用片部３を、さらに備えている。【選択図】  図５
2018031524.tif 000002
【特許請求の範囲】
【請求項１】
ヒータを保持するホルダ部と、
このホルダ部に連設され、かつ取付け対象部位へのクランプ装着が可能なクランプ装着部と、
を備えており、
前記クランプ装着部は、前記取付け対象部位へのクランプ装着時に前記取付け対象部位に係合する係合部を有するクランプ片部を備えている、ヒータ取付け具であって、
前記クランプ片部に繋がって設けられ、かつ所定の操作が行なわれたときに、前記取付け対象部位と前記係合部との係合状態が解除されるように前記クランプ片部を変形または変位させることが可能な操作用片部を、さらに備えていることを特徴とする、ヒータ取付け具。
【請求項２】
請求項１に記載のヒータ取付け具であって、
前記クランプ装着部は、前記ホルダ部から上下高さ方向に起立した支持片部を備えており、
前記クランプ片部は、前記支持片部から前方に突出するように設けられ、かつ前記クランプ片部と前記支持片部との境界部を中心として上下高さ方向に揺動変位可能とされており、
前記操作用片部は、側面視において、前記境界部またはその付近から起立した姿勢に設けられ、この操作用片部が押圧操作されることにより、前記クランプ片部は、前記境界部を中心として、前記係合状態が解除される方向に変位するように構成されている、ヒータ取付け具。
【請求項３】
請求項２に記載のヒータ取付け具であって、
前記支持片部から横幅方向に突出した補助操作用片部を、さらに備えている、ヒータ取付け具。
【請求項４】
請求項３に記載のヒータ取付け具であって、
前記クランプ片部は、横幅方向に延びた形態とされ、かつ前記係合部として、横幅方向に間隔を隔てて位置する少なくとも一対の係合部を備えており、
前記操作用片部および前記補助操作用片部として、前記横幅方向に間隔を隔てて位置する一対の操作用片部および一対の補助操作用片部を備えている、ヒータ取付け具。
【請求項５】
請求項４に記載のヒータ取付け具であって、
前記一対の補助操作用片部は、前記一対の操作用片部よりも横幅方向外側の位置に設けられている、ヒータ取付け具。
【発明の詳細な説明】
【技術分野】
【０００１】
本発明は、たとえば給湯装置の熱交換器の凍結防止を目的として熱交換器にヒータを取付けるといった用途に好適なヒータ取付け具に関する。
【背景技術】
【０００２】
ヒータ取付け具の一例として、特許文献１に記載のものがある。
同文献に記載のヒータ取付け具は、ヒータを保持するホルダ部に、取付け対象部位へのクランプ装着が可能なクランプ装着部が連設された構成である。クランプ装着部は、取付け対象部位へのクランプ装着時に前記取付け対象部位に係合する係合部を有するクランプ片部を備えている。このような構成によれば、ヒータ取付け具を取付け対象部位から不用意に離脱しないように設定することが可能である。
【０００３】
しかしながら、前記従来技術においては、次に述べるような不具合を生じる場合があった。
【０００４】
すなわち、従来においては、ヒータ取付け具を取付け対象部位に取付ける作業は、取付け対象部位の正面から行なうようにされている。また、その取外しも、ヒータ取付け具を取付け対象部位の正面に引き寄せるようにして行なわれる構成とされている。ところが、ヒータ取付け具を様々な条件下で用いる場合、ヒータ取付け具の取付け対象部位の正面に、他の部材または機器が存在し、これが邪魔となって、ヒータ取付け具を取付け対象部位の正面から取付けるといったことが困難となる場合がある。従来においては、このようなことに適切に対処し得る手段は講じられていない。その結果、従来においては、ヒータ取付け具の邪魔になる部材または機器を取外してから、ヒータ取付け具の取付け・取外しを行なうといった作業を行なう必要が生じ、これが煩雑となっていた。
【先行技術文献】
【特許文献】
【０００５】
【特許文献１】特開２０１３−２２１７０９号公報
【発明の概要】
【発明が解決しようとする課題】
【０００６】
本発明は、前記したような事情のもとで考え出されたものであり、取付け対象部位の正面が他の部材や機器によって一部塞がれているような場合であっても、取付け対象部位への取付け・取外しを容易かつ適切に行なうことが可能なヒータ取付け具を提供することを、その課題としている。
【課題を解決するための手段】
【０００７】
上記の課題を解決するため、本発明では、次の技術的手段を講じている。
【０００８】
本発明により提供されるヒータ取付け具は、ヒータを保持するホルダ部と、このホルダ部に連設され、かつ取付け対象部位へのクランプ装着が可能なクランプ装着部と、を備えており、前記クランプ装着部は、前記取付け対象部位へのクランプ装着時に前記取付け対象部位に係合する係合部を有するクランプ片部を備えている、ヒータ取付け具であって、前記クランプ片部に繋がって設けられ、かつ所定の操作が行なわれたときに、前記取付け対象部位と前記係合部との係合状態が解除されるように前記クランプ片部を変形または変位させることが可能な操作用片部を、さらに備えていることを特徴としている。
【０００９】
このような構成によれば、次のような効果が得られる。
すなわち、操作用片部を操作することにより、取付け対象部位とクランプ片部の係合部とが互いに係合しない状態に設定することが可能である。このような設定状態にすれば、ヒータ取付け具を取付け対象部位の正面から取付けできるだけではなく、正面以外の方向、たとえば横方向からも取付けることが可能となる。同様に、取付け対象部位の正面以外の方向に取外すことも可能となる。その結果、取付け対象部位の正面が他の部材または機器などによって一部覆われ、ヒータ取付け具を取付け対象部位の正面に配置させることが困難な状況であっても、ヒータ取付け具の取付け・取外しを容易かつ適切に行なうことができる。したがって、使用の融通性に優れ、便利である。
【００１０】
本発明において、好ましくは、前記クランプ装着部は、前記ホルダ部から上下高さ方向に起立した支持片部を備えており、前記クランプ片部は、前記支持片部から前方に突出するように設けられ、かつ前記クランプ片部と前記支持片部との境界部を中心として上下高さ方向に揺動変位可能とされており、前記操作用片部は、側面視において、前記境界部またはその付近から起立した姿勢に設けられ、この操作用片部が押圧操作されることにより、前記クランプ片部は、前記境界部を中心として、前記係合状態が解除される方向に変位するように構成されている。
ここで、上下高さ方向とは、ヒータ取付け具自体の上下高さ方向であり、ヒータ取付け具を取付け対象部位に実際に取付けた状況での上下高さ方向とは必ずしも一致しない。
【００１１】
このような構成によれば、簡易な構造および操作によって、クランプ片部の係合部と取付け対象部位との係合が解除された状態を適切に設定することができ、本発明が意図する作用を的確に得ることが可能である。
【００１２】
本発明において、好ましくは、前記支持片部から横幅方向に突出した補助操作用片部を、さらに備えている。
【００１３】
このような構成によれば、操作用片部を指で押圧操作する際に、他の指を補助操作用片部に当てるような使用態様とすることにより、補助操作用片部を、操作用片部を押圧操作する際の支点として利用することができる。したがって、操作用片部を安定的に、かつ強く押圧し易くなる。また、補助操作用片部は、支持片部に設けられているため、補助操作用片部に指の力が加わったとしても、この力がクランプ片部の係合部と取付け対象部位との係合状態を解除する動作を不当に妨げる力として働かないようにすることが可能である。
【００１４】
本発明において、好ましくは、前記クランプ片部は、横幅方向に延びた形態とされ、かつ前記係合部として、横幅方向に間隔を隔てて位置する少なくとも一対の係合部を備えており、前記操作用片部および前記補助操作用片部として、前記横幅方向に間隔を隔てて位置する一対の操作用片部および一対の補助操作用片部を備えている。
【００１５】
このような構成によれば、クランプ片部が横幅方向に延び、かつ係合部は少なくとも一対以上で設けられているため、取付け対象部位への装着状態を安定させる上で好ましいものとなる。その一方、操作用片部および補助操作用片部は、一対ずつで設けられているため、両手でこれらの部分を操作し、操作用片部を強い力で押圧するといったことが可能となる。したがって、各係合部と取付け対象部位との係合状態を解除することも適切に行なうことが可能となる。
【００１６】
本発明において、好ましくは、前記一対の補助操作用片部は、前記一対の操作用片部よりも横幅方向外側の位置に設けられている。
【００１７】
このような構成によれば、後述の実施形態でも説明しているように、一対の補助操作用片部に両手の人指し指または中指を当てつつ、両手の親指で一対の操作用片部を押圧するといったことが可能となる。このことにより、係合部と取付け対象部位との係合状態を解除させたまま、ヒータ取付け具を両手で容易に保持できることとなり、ヒータ取付け具の取付け・取外しの作業性をより良くすることが可能となる。
【００１８】
本発明のその他の特徴および利点は、添付図面を参照して以下に行なう発明の実施の形態の説明から、より明らかになるであろう。
【図面の簡単な説明】
【００１９】
【図１】本発明に係るヒータ取付け具の一例を示す正面斜視図である。
【図２】図１のヒータ取付け具の分解斜視図である。
【図３】図１の背面斜視図である。
【図４】（ａ）は、図３のIVa−IVa断面図であり、（ｂ）は、図３のIVb−IVb断面図である。
【図５】（ａ）は、図１に示すヒータ取付け具の使用状態を示す要部断面図であり、（ｂ）は、その要部断面図である。
【図６】図５（ａ）の要部斜視図である。
【図７】図５（ａ）の要部分解斜視図である。
【発明を実施するための形態】
【００２０】
以下、本発明の好ましい実施の形態について、図面を参照して具体的に説明する。
【００２１】
図１〜図４に示すヒータ取付け具Ａは、ステンレス製などの金属板にプレス加工を施して形成されたものであり、ヒータＨを保持するためのホルダ部１、およびこのホルダ部１に連設されたクランプ装着部２を備えている。ヒータＨは、全体が略円筒状の電熱式であり、その両端にリード線９０が接続されている。
【００２２】
ホルダ部１は、その基本的な断面形状が前面が開口した略コ字状に形成されており、上片部１０、この上片部１０の後部から下向きに起立した起立片部１１、およびこの起立片部１１の下端から前方に突出した中間片部１２を備えている。これら上片部１０、起立片部１１、および中間片部１２は、いずれも横幅方向に延びた形態である。ただし、上片部１０および中間片部１２は、横幅方向において複数の領域に適宜分割されている。ヒータＨは、上片部１０および中間片部１２の相互間に挟まれるようにしてホルダ部１に保持される。ヒータＨの保持を確実化するための手段として、上下方向にバネ性をもつヒータ押さえ片部１３も適宜設けられている。
【００２３】
クランプ装着部２は、ホルダ部１の起立片部１１から下向きに起立する複数の支持片部２０、これら複数の支持片部２０の下部に繋がり、かつ前方に突出するクランプ片部２１、左右一対の操作用片部３、および左右一対の補助操作用片部４を備えている。
【００２４】
クランプ片部２１は、横幅方向に延びており、その先端部に位置して前方へ部分的に突出する左右一対の係合部２１ａを含んでいる。各係合部２１ａは、取付け対象部位に係合させるための部位であって、たとえば側面断面視略ヘ字状に屈曲した形状である。好ましくは、各係合部２１ａは、支持片部２０の前方に位置するように設けられている。クランプ片部２１と中間片部１２との相互間は、前面側が開口したクランプ領域３８であり、取付け対象部位は、このクランプ領域３８においてクランプ片部２１と中間片部１２との両者によって上下高さ方向にクランプされる。したがって、本実施形態においては、中間片部１２は、ホルダ部１の構成要素と、クランプ装着部２の構成要素とを兼用している。クランプ片部２１は、支持片部２０との境界部Ｃ（支持片部２０の下端部近傍）を中心とし
て、上下高さ方向に揺動するように変形または変位させることが可能なバネ性を有している。クランプ片部２１のそのような変形または変位を円滑に行なわせるための手段として、各支持片部２０の幅が小さくされている。
【００２５】
各操作用片部３は、ヒータ取付け具Ａを取付け対象部位に着脱させる際に押圧操作するための部位であり、クランプ片部２１の後縁部から上向きに起立している。好ましくは、ヒータ取付け具Ａの側面視において、操作用片部３は、クランプ片部２１と支持片部２０との境界部Ｃまたはその付近から起立した姿勢に設けられている。このような構成によれば、操作用片部３が、矢印Ｎ１で示すように前方に押圧されると、クランプ片部２１は、境界部Ｃを中心として下向きに回転し、係合部２１ａが下降する。この操作用片部３は、係合部２１ａに比較的近い箇所に設けられ、また作業者が指で前方に押圧し易いように、後方（正面）を向き、かつある程度の面積をもつ平面部を有している。なお、クランプ片部２１の後縁部には、前記した操作用片部３とは別の上向き起立状の突出片９１が設けられているが、これはヒータＨのリード線９０を掛止保持（図面では省略）するための部分である。
【００２６】
各補助操作用片部４は、操作用片部３を指で前方に押圧する際に、この操作の容易化などを図るための部分であり、支持片部２０の上下高さ方向中間位置から横幅方向外方に向けて突出し、かつ操作用片部３よりも横幅方向の外方側に位置している。この補助操作用片部４は、操作用片部３を親指で前方に押圧する際に、人指し指または中指を補助操作用片部４の前面部に押し当てるようにして利用される。したがって、補助操作用片部４は、結果的には、矢印Ｎ２で示すように後方に押圧される。このことにより、操作用片部３を親指で前方に強い力で押圧し易くなる。矢印Ｎ２で示す方向の力は、係合部２１ａを補助操作用片部４側に引き寄せる力としても作用するため、操作用片部３を前方に押圧して係合部２１ａを下降させる際に、その下降量を大きくする効果も生じ得る。この補助操作用片部４も、操作用片部３と同様に、指で操作し易い形状およびサイズとされる。
【００２７】
次に、前記したヒータ取付け具Ａの使用例、ならびに作用について説明する。
【００２８】
図５および図６は、給湯装置Ｂの１次熱交換器７Ａのベンド管７０に、ヒータ取付け具Ａが取付けられた例を示している。給湯装置Ｂは、バーナ７１により発生された燃焼ガスから顕熱および潜熱を順次回収する伝熱管７２，７３をそれぞれ備えた１次および２次の熱交換器７Ａ，７Ｂを有しており、かつ２次熱交換器７Ｂを通過した燃焼ガス（排ガス）は、最終的には、排気トップ７４を経由して外部に排気されるように構成されている。
【００２９】
１次熱交換器７Ａは、複数のフィン７６に貫通して接合された複数の直状の伝熱管７２が、缶体７５の外部において、複数のベンド管７０を利用して連結された構成である。複数のベンド管７０は、図７に示すように並んでおり、本来的には、同図の仮想線で示すように、ベンド管７０の正面からヒータ取付け具Ａを前進させることにより、ベンド管７０への取付けを図ることが可能である。また、取外しの場合には、本来的には、ヒータ取付け具Ａを正面に引っ張ればよい。
【００３０】
ただし、図５（ａ）および図６に示すように、給湯装置Ｂにおいては、排気トップ７４の一部が、ヒータ取付け具Ａの取付け箇所に接近してその正面に位置しており、ヒータ取付け具Ａを正面に引っ張ると、ヒータ取付け具Ａが排気トップ７４に干渉し、その取外しが困難な状況となっている。これに対し、本実施形態のヒータ取付け具Ａにおいては、既述したように、操作用片部３を前方に押圧することにより、クランプ片部２１の係合部２１ａを下降させることができる。したがって、たとえば図５および図６に示すように、ベンド管７０にヒータ取付け具Ａが既に取付けられ、係合部２１ａがベンド管７０の下面側に係合している状態にあったとしても、この係合状態を解除させることができ、このこと
によってヒータ取付け具Ａをベンド管７０に相対させて横方向（矢印Ｎ３で示す方向）に容易にスライドさせることが可能となる。ヒータ取付け具Ａをそのような向きにスライドさせれば、排気トップ７４との干渉を回避し、ヒータ取付け具Ａを適切に取外すことができる。その後、ヒータ取付け具Ａをベンド管７０に取付ける場合においても、前記したのと同様であり、操作用片部３を前方に押圧して係合部２１ａを下降させた状態で、ヒータ取付け具Ａを、矢印Ｎ３で示す方向にスライドさせることにより、ベンド管７０への取付けを図ることが可能である。したがって、ヒータ取付け具Ａの着脱に際し、排気トップ７４を取外すような必要を無くすことが可能である。
【００３１】
一対の操作用片部３を押圧操作する際には、一対の補助操作用片部４の前面側に両手の人指し指または中指を当てつつ、両手の親指を一対の操作用片部３の後面側に押し当てる態様とすることができる。このような態様によれば、作業者はヒータ取付け具Ａを必然的に両手で把持することなる。したがって、操作用片部３を押圧して係合部２１ａを下降させた状態を維持したまま、ヒータ取付け具Ａを前記した横方向にスライドさせる動作を容易かつ適切に行なうことが可能である。
【００３２】
本発明は、上述した実施形態の内容に限定されない。本発明に係るヒータ取付け具の各部の具体的な構成は、本発明の意図する範囲内において種々に設計変更自在である。
【００３３】
上述の実施形態では、ヒータＨのホルダ部１を上側、クランプ装着部２を下側の配置としたが、これに限定されず、上下反転させた態様とすることもできる。操作性などをよくする観点からすれば、操作用片部や補助操作用片部は、一対ずつ設けることが好ましいが、これに限定されず、たとえばそれら操作用片部や補助操作用片部を１つずつ設けただけの構成とすることもできる。
本発明でいう取付け対象部位は、１次熱交換器のベンド管に限定されない。給湯装置の他の部分、あるいは給湯装置以外の装置・機器類を取付け対象部位とすることが可能である。ヒータは、円柱状のものに限らない。
【符号の説明】
【００３４】
Ａ  ヒータ取付け具
Ｃ  境界部（支持片部とクランプ片部との）
Ｈ  ヒータ
１  ホルダ部
２  クランプ装着部
２０  支持片部
２１  クランプ片部
２１ａ  係合部
３  操作用片部
４  補助操作用片部
７０  ベンド管（取付け対象部位）
【図１】
2018031524.tif 000003
【図２】
2018031524.tif 000004
【図３】
2018031524.tif 000005
【図４】
2018031524.tif 000006
【図５】
2018031524.tif 000007
【図６】
2018031524.tif 000008
【図７】
2018031524.tif 000009